(57)【要約】【課題】  多数の色再現範囲を有する色再現装置及びその色信号を処理する方法を提供すること。【解決手段】  本発明に係る色処理方法は、入力色信号が再現されるターゲット色域を選択するステップと、入力色信号が再現される色再現装置の色域の原色を混合し、ターゲット色域の原色を生成できる混合比を算出するステップと、算出された混合比によって色再現装置の色域の原色を混合して再構成された原色を算出するステップと、入力色信号が再構成された原色により決定される色域にマッチングされ出力されるよう光源の光量を調節するステップと、入力色信号を再構成された原色により決定される色域にマッチングされるよう変換させ出力するステップとを含む。【選択図】      図２
2007004129.tif 000002
【特許請求の範囲】
【請求項１】
入力色信号が再現されるターゲット色域を選択する選択部と、
前記入力色信号が再現される色再現装置の色域の原色を混合し、前記ターゲット色域の原色を生成できる混合比を算出する計算部と、
算出された前記混合比によって前記色再現装置の色域の原色を混合して再構成された原色を算出する原色決定部と、
前記入力色信号が前記再構成された原色により決定される色域にマッチングされ出力されるよう光源の光量を調節する駆動部と、
前記入力色信号が前記再構成された原色により決定される色域にマッチングされるよう変換され出力される信号を表示するディスプレー部と、を含むことを特徴とする多数の色再現範囲を有する色再現装置。
【請求項２】
入力される色信号の色座標を装置独立的色空間であるＣＩＥ（Ｃｏｍｍｉｓｓｉｏｎ  Ｉｎｔｅｒｎａｔｉｏｎａｌｅ  ｄｅ  Ｉ’Ｅｃｌａｉｒａｇｅ）−ＸＹＺ色空間の色座標値に変換して前記入力色信号で提供する色座標変換部をさらに含むことを特徴とする請求項１に記載の多数の色再現範囲を有する色再現装置。
【請求項３】
前記ターゲット色域は、ＮＴＳＣ放送規格、ＰＡＬ放送規格、及びＳＭＰＴＥ−Ｃ放送規格を再現する色域、ｓＲＧＢ規格による標準色信号及びＲＧＢ規格による標準色信号を再現する色域、ＬＥＤディスプレー装置の色域、そして前記色再現装置のユーザが設定する色域のうちいずれかであることを特徴とする請求項１に記載の多数の色再現範囲を有する色再現装置。
【請求項４】
前記ターゲット色域の色座標、及び前記色再現装置の色域の原色の色座標を格納する格納部をさらに含むことを特徴とする請求項１に記載の多数の色再現範囲を有する色再現装置。
【請求項５】
前記格納部は、前記選択部から選択できる前記ターゲット色域毎に前記色再現装置の色域の原色を混合して前記ターゲット色域の原色を生成できる混合比をルックアップテーブル形態で格納することを特徴とする請求項４に記載の多数の色再現範囲を有する色再現装置。
【請求項６】
前記駆動部は、前記色再現装置の駆動方式によってＰＷＭ（パルス幅変調）方式、及びＡＭ（振幅変調）方式のうちいずれかを利用して前記光源の光量を調整することを特徴とする請求項１に記載の多数の色再現範囲を有する色再現装置。
【請求項７】
入力色信号が再現されるターゲット色域を選択するステップと、
前記入力色信号が再現される色再現装置の色域の原色を混合し、前記ターゲット色域の原色を生成できる混合比を算出するステップと、
算出された前記混合比によって前記色再現装置の色域の原色を混合して再構成された原色を算出するステップと、
前記入力色信号が前記再構成された原色により決定される色域にマッチングされ出力されるよう光源の光量を調節するステップと、
前記入力色信号を前記再構成された原色により決定される色域にマッチングされるよう変換させ出力するステップと、を含むことを特徴とする色処理方法。
【請求項８】
入力される色信号の色座標を装置独立的色空間であるＣＩＥ−ＸＹＺ色空間の色座標値に変換して前記入力色信号で提供するステップをさらに含むことを特徴とする請求項７に記載の色処理方法。
【請求項９】
前記ターゲット色域は、ＮＴＳＣ放送規格、ＰＡＬ放送規格、及びＳＭＰＴＥ−Ｃ放送規格を再現する色域、ｓＲＧＢ規格による標準色信号及びＲＧＢ規格による標準色信号を再現する色域、ＬＥＤディスプレー装置の色域、そして前記色再現装置のユーザが設定する色域のうちいずれかであることを特徴とする請求項７に記載の色処理方法。
【請求項１０】
前記ターゲット色域の色座標、及び前記色再現装置の色域の原色の色座標を格納するステップをさらに含むことを特徴とする請求項７に記載の色処理方法。
【請求項１１】
前記格納するステップは、選択できる前記ターゲット色域毎に前記色再現装置の色域の原色を混合して前記ターゲット色域の原色を生成できる混合比をルックアップテーブル形態で格納することを特徴とする請求項１０に記載の色処理方法。
【請求項１２】
前記光源を調節するステップは、前記色再現装置の駆動方式によってＰＷＭ方式、及びＡＭ方式のうちいずれかを利用して前記光源の光量を調整することを特徴とする請求項７に記載の色処理方法。
【発明の詳細な説明】
【技術分野】
【０００１】
本発明は、多数の色再現範囲を有する色再現装置及びその色信号処理方法に係り、特に、入力される入力色信号を選択される色域（ｇａｍｕｔ）でディスプレーできる多数の色再現範囲を有する色再現装置及びその色信号処理方法に関する。
【背景技術】
【０００２】
一般に、モニター、スキャナー、プリンターなどのような色を再現する色再現装置は、それぞれの使用分野に合う色空間（カラースペース）、あるいはカラーモデルを使用している。例えば、カラー映像の印刷装置ではＣＭＹ色空間を使用し、カラーＣＲＴモニターやコンピュータグラフィック装置ではＲＧＢ色空間を使用し、色相、彩度、明度をそれぞれ扱う装置はＨＳＩ色空間を使用する。また、いずれの装置でも正確に再生できる、いわゆる装置独立的カラーを定義するためにＣＩＥ色空間が使用される。代表的に、ＣＩＥ−ＸＹＺ、ＣＩＥＬ＊ａ＊ｂ、ＣＩＥＬ＊ｕ＊ｖ色空間などがある。
【０００３】
色再現装置は使用される色空間によってその種類が異なるが、基本的に３つの原色を使用するのが一般的である。例えば、カラーＣＲＴモニターやコンピュータグラフィック装置などで使用されるＲＧＢ色空間の場合は、互いに加算できる赤（レッド）、緑（グリーン）、及び青（ブルー）の３つの原色を使用し、カラー映像の印刷装置などで使用されるＣＭＹ色空間の場合は、青緑（シアン）、赤紫（マゼンタ）、及び黄色（イエロー）の３つの原色が使用される。
【０００４】
一方、色再現装置で再現できる色再現の範囲は、その装置が使用する原色により決定される。色再現装置において、一般放送規格や標準色信号規格の映像を再現する場合、放送規格や標準により規定された原色を固定的に使用して、入力される映像を表現している。
【０００５】
したがって、入力される色信号の色再現範囲がこの入力色信号を再現する色再現装置の色帯域より狭い場合、色再現装置が表現できる色再現範囲全てを使用できなくなる。また、入力される色信号とこれを再現する色再現装置間の色再現範囲をマッピングさせる過程において、量子化エラーを誘発するか、または色再現範囲をマッピングさせる過程において、複雑なアルゴリズムを使用するのでハードウェア的に具現することが困難である。
【０００６】
そして、１つの色再現装置では入力される入力色信号の規格に色信号が再現されることができ、ユーザの選択による新たな色再現が不可能である。例えば、色再現装置がＬＥＤディスプレー装置で、入力される信号がＳＭＰＴＥ−Ｃのような放送規格による色信号の場合、ＬＥＤディスプレー装置はＳＭＰＴＥ−Ｃ放送規格による色信号をＬＥＤ色再現範囲のみで再現できる。
【０００７】
したがって、１つのディスプレー装置でユーザによって選択される多様な標準信号規格またはユーザが定義した規格で入力色信号を再現できる方法が求められる。
【特許文献１】韓国公開実用新案第１９９２−００１４３５９号公報
【特許文献２】日本公開特許平９−３２２１８７公報
【特許文献３】日本公開特許平７−２７４０８９公報
【特許文献４】日本公開特許平５−２６０４９８公報
【発明の開示】
【発明が解決しようとする課題】
【０００８】
本発明は、前記のような問題を鑑みてなされたものであって、その目的は、入力される色信号をユーザが選択する色域でディスプレーできる多数の色再現範囲を有する色再現装置及びその色信号処理方法を提供することにある。
【課題を解決するための手段】
【０００９】
前記目的を達成するため、本発明に係る多数の色再現範囲を有する色再現装置は、入力色信号が再現されるターゲット色域を選択する選択部と、前記入力色信号が再現される色再現装置の色域の原色を混合し、前記ターゲット色域の原色を生成できる混合比を算出する計算部と、算出された前記混合比によって前記色再現装置の色域の原色を混合して再構成された原色を算出する原色決定部と、前記入力色信号が前記再構成された原色により決定される色域にマッチングされ出力されるよう光源の光量を調節する駆動部と、前記入力色信号が前記再構成された原色により決定される色域にマッチングされるよう変換され出力される信号を表示するディスプレー部とを含む。
【００１０】
好ましくは、入力される色信号の色座標を装置独立的色空間であるＣＩＥ−ＸＹＺ色空間の色座標値に変換して前記入力色信号で提供する色座標変換部をさらに含む。
【００１１】
この時、前記ターゲット色域は、ＮＴＳＣ放送規格、ＰＡＬ放送規格、及びＳＭＰＴＥ−Ｃ放送規格を再現する色域、ｓＲＧＢ規格による標準色信号及びＲＧＢ規格による標準色信号を再現する色域、ＬＥＤディスプレー装置の色域、そして前記色再現装置のユーザが設定する色域のうちいずれかである。
【００１２】
好ましくは、前記ターゲット色域の色座標、及び前記色再現装置の色域の原色の色座標を格納する格納部をさらに含む。
【００１３】
また、前記格納部は、前記選択部から選択できる前記ターゲット色域毎に前記色再現装の色域の原色を混合して前記ターゲット色域の原色を生成できる混合比をルックアップテーブル形態で格納する。
【００１４】
好ましくは、前記駆動部は、前記色再現装置の駆動方式によってＰＷＭ方式、及びＡＭ方式のうちいずれかを利用して前記光源の光量を調整する。
【００１５】
一方、本発明に係る色処理方法は、入力色信号が再現されるターゲット色域を選択するステップと、前記入力色信号が再現される色再現装置の色域の原色を混合し、前記ターゲット色域の原色を生成できる混合比を算出するステップと、算出された前記混合比によって前記色再現装置の色域の原色を混合して再構成された原色を算出するステップと、前記入力色信号が前記再構成された原色により決定される色域にマッチングされ出力されるよう光源の光量を調節するステップと、前記入力色信号を前記再構成された原色により決定される色域にマッチングされるよう変換させ出力するステップとを含む。
【００１６】
好ましくは、入力される色信号の色座標を装置独立的色空間であるＣＩＥ−ＸＹＺ色空間の色座標値に変換して前記入力色信号で提供するステップをさらに含む。
【００１７】
この時、前記ターゲット色域は、ＮＴＳＣ放送規格、ＰＡＬ放送規格、及びＳＭＰＴＥ−Ｃ放送規格を再現する色域、ｓＲＧＢ規格による標準色信号及びＲＧＢ規格による標準色信号を再現する色域、ＬＥＤディスプレー装置の色域、そして前記色再現装置のユーザが設定する色域のうちいずれかである。
【００１８】
好ましくは、前記ターゲット色域の色座標、及び前記色再現装置の色域の原色の色座標を格納するステップをさらに含む。
【００１９】
また、前記格納するステップは、選択できる前記ターゲット色域毎に前記色再現装置の色域の原色を混合して前記ターゲット色域の原色を生成できる混合比をルックアップテーブル形態で格納する。
【００２０】
好ましくは、前記光源を調節するステップは、前記色再現装置の駆動方式によってＰＷＭ方式、及びＡＭ方式のうちいずれかを利用して前記光源の光量を調整する。
【発明の効果】
【００２１】
本発明によれば、ユーザが色再現装置に入力される色信号と関係なく色再現装置の再現できる範囲内で色域を任意に設定できるので、１つの色再現装置で選択できる多数の色域を量子化エラーなしに生成することができる。
【発明を実施するための最良の形態】
【００２２】
以下、添付した図面に基づいて本発明の好適な実施形態を詳細に説明する。
（実施形態）
【００２３】
本発明は、１つのディスプレー装置に入力される入力色信号がユーザによって選択される多様な放送規格、標準信号規格またはユーザが定義した規格の色信号に再現できるよう入力色信号を処理する。
【００２４】
以下、色再現装置がＬＥＤディスプレー装置の場合において、ＬＥＤディスプレー装置にＰＡＬ放送規格信号が入力されたが、ユーザが入力色信号の再現される色域をＳＭＰＴＥ−Ｃに選択した場合における色信号処理を例にとって説明する。
【００２５】
図１は、本発明の一実施形態による多数の色再現範囲を有する色再現装置の動作を概略的に説明するための図である。より詳しくは、図１はＣＩＥ色度図（ｃｈｒｏｍａｔｉｃｉｔｙ  ｄｉａｇｒａｍ）であり、横軸の赤色（ｘ）と縦軸の緑色（ｙ）との関数で色合成を示す図である。この時、ＬＥＤディスプレー装置の色域であるソース色域の原色はＰ１、Ｐ２、及びＰ３であり、選択されるＳＭＰＴＥ−Ｃ色域であるターゲット色域の原色はＴ１、Ｔ２、及びＴ３である。
【００２６】
同図に示すように、ＬＥＤディスプレー装置に入力される入力色信号はユーザの選択によって、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）、ＰＡＬ（Ｐｈａｓｅ  Ａｌｔｅｒｎａｔｉｏｎ  ｂｙ  Ｌｉｎｅ  ｓｙｓｔｅｍ）、ＳＭＰＴＥ−Ｃなどの放送規格、あるいはＩＥＣ（Ｉｎｔｅｒｎａｔｉｏｎａｌ  Ｅｌｅｃｔｒｏ−Ｔｅｃｈｎｉｃａｌ  Ｃｏｍｍｉｓｓｉｏｎ）のＲｅｃ．７０９（ｓＲＧＢ）のような標準規格による色信号が再現される色域、ユーザが定義した色域（ＵＳＥＲ）などで再現される。
【００２７】
入力色信号が再現される色域としてＳＭＰＴＥ−Ｃが選択された場合、色再現装置であるＬＥＤディスプレー装置の色域の原色Ｐ１、Ｐ２、Ｐ３は選択されたターゲット色域であるＳＭＰＴＥ−Ｃの原色Ｔ１、Ｔ２、Ｔ３にそれぞれ調整される。
【００２８】
図２は、本発明の一実施形態による多数の色再現範囲を有する色再現装置のブロック図である。
【００２９】
同図に示すように、本発明に係る多数の色再現範囲を有する色再現装置は、選択部１００、色座標変換部２００、色域調整部３００、格納部４００、及び駆動部５００を含む。
【００３０】
色座標変換部２００は、ディスプレー装置に入力される入力色信号が非線形色信号であれば、線形色信号に線形補正した後、装置独立的色空間の色座標に変換する。この時、入力色信号として、ＮＴＳＣ、ＰＡＬ、ＳＭＰＴＥ−Ｃなどの放送規格、あるいはＩＥＣのＲｅｃ．７０９（ｓＲＧＢ）のような標準規格による色信号がある。
【００３１】
選択部１００は、色座標変換部２００から色座標値の変換された入力色信号が再現されるターゲット色域を選択する。この時、選択部１００は、ディスプレー装置のＯＳＤ（オンスクリーンディスプレー）メニュー、リモコン、ＴＶメニューボタンなどであり、ユーザは選択部１００を使って入力色信号が再現される色域を選択することができる。
【００３２】
色域調整部３００は、計算部３１０、及び原色決定部３２０を含み、ソース色域であるＬＥＤディスプレー装置の色域を選択部１００から選択されたターゲット色域であるＳＭＰＴＥ−Ｃ放送規格の色域に調整する。
【００３３】
すなわち、色域調整部３００は、ディスプレー装置のＲＧＢ原色を組み合わせてソース色域を選択されたＳＭＰＴＥ−Ｃ色域に調整し、ソース色域の原色から追加されるべきＲＲ、ＲＧ、ＲＢ、ＧＧ、ＧＲ、ＧＢ、ＢＢ、ＢＲ、ＢＧ値を計算しソース色域の原色を調整することで、ソース色域をターゲット色域に調整する。
【００３４】
色域調整部３００の計算部３１０はディスプレー装置の原色を混合してターゲット原色を生成できる混合比を算出し、原色決定部３２０は算出された混合比によってディスプレー装置の原色を混合して再構成された原色を算出する。
【００３５】
駆動部５００は、原色決定部３２０から再構成された原色に基づいてディスプレー装置の原色が調節されるようディスプレー装置の光源の光量を調整する。この時、駆動部５００は、ディスプレー装置の駆動方式によってＰＷＭ方式またはＡＭ方式を利用して、入力色信号が再構成された原色によって決定される色域に変換され出力されるよう光源の光量を調整する。この再構成された原色によって決定される色再現範囲にマッチングされるよう変換され出力される入力色信号はディスプレー部（図示せず）に再現される。
【００３６】
図３は、本発明の一実施形態による色信号処理方法を説明するためのフローチャートである。
【００３７】
以下、色再現装置がＬＥＤディスプレー装置である場合を例にとって説明する。そして、ＬＥＤディスプレー装置にＰＡＬ放送規格信号が入力されたが、ユーザが入力色信号の再現される色域をＳＭＰＴＥ−Ｃに選択した場合、ＬＥＤディスプレー装置の色域を選択した色域であるＳＭＰＴＥ−Ｃ色域に調整して、ＰＡＬ放送規格の入力色信号がＳＭＰＴＥ−Ｃ規格の色信号に再現されるよう色信号処理過程を例にとって説明する。
【００３８】
図３に示すように、まず、ディスプレー装置に入力される入力色信号が再現されるターゲット色域を選択する（Ｓ９０１）。この時、ターゲット色域はディスプレー装置のＯＳＤメニュー、リモコン、ＴＶメニューボタンなどを使って選択できる。
【００３９】
図４は、図３に示す色信号の処理方法において入力色信号の再現される色域を選択する方法について説明するための図である。より詳しくは、図４は、ＯＳＤメニューを使ってターゲット色域を選択する場合を示す図である。
【００４０】
同図に示すように、ディスプレー装置で再現できる色域の種類、「ＬＥＤ」、「ＳＭＰＴＥ−Ｃ」、「Ｒｅｃ．７０９（ｓＲＧＢ）」、「ＰＡＬ（ＥＢＬ）」、「ＵＳＥＲ１」、「ＵＳＥＲ２」が画面に表示される。ユーザは「ＳＭＰＴＥ−Ｃ」を放送規格の信号の色域を選択できるが、「ＵＳＥＲ１」、「ＵＳＥＲ２」のように任意の色域も選択できる。
【００４１】
次、ディスプレー装置の原色を混合してターゲット色域の原色を生成できる混合比を算出し、算出された混合比によってディスプレー装置の原色を混合して再構成された原色を算出する（Ｓ９０３）。ディスプレー装置の原色を混合してターゲット色域の原色を生成できる混合比は、格納部４００に格納されたディスプレー装置の原色の色座標、及びターゲット色域の原色の色座標を使って決定する。
【００４２】
そして、ディスプレー装置に入力される入力色信号が非線形色信号であれば、線形色信号に線形補正してから、装置独立的色空間であるＣＩＥ−ＸＹＺ色空間の色座標に変換した後、再構成された原色を算出する。この時、入力色信号として、ＮＴＳＣ、ＰＡＬ、ＳＭＰＴＥ−Ｃなどの放送規格、あるいはＩＥＣのＲｅｃ．７０９（ｓＲＧＢ）のような標準規格による色信号がある。
【００４３】
以下、混合比の算出及び再構成された原色を算出する過程をより詳しく説明する。ディスプレー装置の色域を、図１に示したＬＥＤ（ｓｏｕｒｃｅ  ｇａｍｕｔ）としたとする場合、このディスプレー装置の原色Ｐ１（ｘｒｒ、ｙｒｒ、ｚｒｒ）、Ｐ２（ｘｇｇ、ｙｇｇ、ｚｇｇ）、Ｐ３（ｘｂｂ、ｙｂｂ、ｚｂｂ）の色座標行列をＰＳとし、ホワイト３刺激値（ｔｒｉｓｔｉｍｕｌｕｓ  ｖａｌｕｅｓ）をＦＷＳ＝（Ｘｗｓ、Ｙｗｓ、Ｚｗｓ）と仮定すれば、これに対する色彩系ディスプレーモデル（Ｃｏｌｏｒｉｍｅｔｒｉｃ  Ｄｉｓｐｌａｙ  Ｍｏｄｅｌ）は次の式（１）のようである。
【００４４】
【数１】
2007004129.tif 000003

ここで、
【００４５】
【数２】
2007004129.tif 000004
式（１）において、正規化行列ＮＳはＲ＝Ｇ＝Ｂ＝１と最大時、すなわち、ホワイト（Ｗｈｉｔｅ）であれば、ＦＳ＝ＦＷＳとなるよう設定される。レッド（Ｒ）原色ベクトルＦｒＳ＝（ｘｒｒ、ｙｒｒ、ｚｒｒ）は（Ｒ、Ｇ、Ｂ）＝（１、０、０）時、再現されるレッドカラーの３刺激値となる。同様に、グリーン（Ｇ）原色ベクトルＦｇＳ＝（ｘｇｇ、ｙｇｇ、ｚｇｇ）は（Ｒ、Ｇ、Ｂ）＝（０、１、０）時、再現されるグリーンカラーの３刺激値となり、ブルー（Ｂ）原色ベクトルＦｂＳ＝（ｘｂｂ、ｙｂｂ、ｚｂｂ）は（Ｒ、Ｇ、Ｂ）＝（０、０、１）時、再現されるブルーカラーの３刺激値となる。したがって、入力映像の色域は式（１）のように定義される。
【００４６】
同様な方式で、入力色信号の色再現範囲に該当するＳＭＰＴＥ−Ｃ（ｔａｒｇｅｔ  ｇａｍｕｔ）とする場合、ＳＭＰＴＥ−Ｃの原色Ｔ１（ｘｒｔ、ｙｒｔ、ｚｒｔ）、Ｔ２（ｘｇｔ、ｙｇｔ、ｚｇｔ）、Ｔ３（ｘｂｔ、ｙｂｔ、ｚｂｔ）の色座標行列をＰｔとし、ホワイト３刺激値をＦＷｔ＝（ｘｗｔ、ｙｗｔ、ｚｗｔ）とすれば、標準原色によるディスプレーモデルは次のような式で表す。
【００４７】
【数３】
2007004129.tif 000005
ここで、
【００４８】
【数４】
2007004129.tif 000006

正規化行列Ｎｔは式（１）のように与えられた標準ホワイトから算出することができる。同様に、ＳＭＰＴＥ−Ｃのレッド原色ベクトルＦｒｔ＝（ｘｒｔ、ｙｒｔ、ｚｒｔ）、ＳＭＰＴＥ−Ｃのグリーン原色ベクトルＦｇｔ＝（ｘｇｔ、ｙｇｔ、ｚｇｔ）、及びＳＭＰＴＥ−Ｃのブルー原色ベクトルＦｂｔ＝（ｘｂｔ、ｙｂｔ、ｚｂｔ）となる。
【００４９】
ディスプレー装置の色域であるソース色域の原色ベクトル（Ｆｒｓ、Ｆｇｓ、Ｆｂｓ）から式（２）を充足するＳＭＰＴＥ−Ｃ信号の色域であるターゲット色域の原色ベクトル（Ｆｒｔ、Ｆｇｔ、Ｆｂｔ）を算出すると次の式で表される。
【００５０】
【数５】
2007004129.tif 000007
式（３）を書き換えれば、次の式で表される。
【００５１】
【数６】
2007004129.tif 000008
ここで、
【００５２】
【数７】
2007004129.tif 000009
したがって、式（４）において、ターゲット色域の原色を生成する行列Ｇはディスプレー装置の原色の混合比となる。ところで、行列Ｇで、メジャーシグナル（ｍａｊｏｒ  ｓｉｇｎａｌ）である対角成分（Ｄｉａｇｏｎａｌ  Ｃｏｍｐｏｎｅｎｔ）（ｋｒｒ、ｋｇｇ、ｋｂｂ）は、場合によって最大値である「１」より小になるので、ターゲット色域により決定される色域の輝度を最大にするために、次の式のように、Ｎ＝Ｍａｘ（ｋｒｒ、ｋｇｇ、ｋｂｂ）で分けて行列Ｇを標準化する。
【００５３】
【数８】
2007004129.tif 000010
したがって、ディスプレー装置で、式（５）から求めたＧｎ行列の常数だけ各チャネルの光源の光量を調整すれば、ディスプレー装置の原色を使ってＳＭＰＴＥ−Ｃ信号を再現できる色域の原色を生成できる。
【００５４】
次、再構成されたディスプレー装置の原色により決定される色域にマッチングされ入力色信号が出力されるよう光源の光量を制御してから、変換された入力色信号を出力する（Ｓ９０５）。再構成されたソース原色により決定される色域にマッチングされるよう入力色信号を次の式を利用して変化させ出力する。
【００５５】
【数９】
2007004129.tif 000011
ここで、
【００５６】
【数１０】
2007004129.tif 000012
一方、選択されるターゲット色域によってソース色域であるディスプレー装置の色域の原色がターゲット色域の原色に生成されるためのソース色域の混合比を予め計算してルックアップテーブル形態で格納できる。また、Ｍｉｃｏｍのプログラムを利用してソース色域の混合比が算出されることができ、ＡＳＩＣ（Ａｐｐｌｉｃａｔｉｏｎ−Ｓｐｅｃｉｆｉｃ  Ｉｎｔｅｒｇｒａｔｅｄ  Ｃｉｒｃｕｉｔ）へのチップ化することができる。
【００５７】
図５Ａ及び図５Ｂは、図３の色信号の処理方法において、色域を調整する方法を説明するための図である。
【００５８】
図５Ａは、ＰＷＭ方式を利用してディスプレー装置の原色に混合される混合色の強度を決定する場合を示す図である。ここで、横軸は時間を表し、縦軸は電流（Ａ）または電圧（Ｖ）を表す。
【００５９】
同図に示すように、ＬＥＤディスプレー装置の原色をＳＭＰＴＥ−Ｃの原色に生成するために、Ｔ１時間の区間の間、「ＲＥＤ  ｓｉｇｎａｌ」に混合される混合色は「ＢＬＵＥ  Ｌｉｇｈｔ」による「ＲＢ」である。そして、「ＲＥＤ  ｓｉｇｎａｌ」に混合される混合色「ＲＢ」の量はＷ３時間の間の量である。また、「ＧＲＥＥＮ  Ｌｉｇｈｔ」による「ＲＧ」であり、Ｗ１、Ｗ２分の量が「ＲＥＤ  ｓｉｇｎａｌ」に混合されるべきである。
【００６０】
図５Ｂは、ＡＭ方式を利用してディスプレー装置の原色に混合される混合色の強度を決定する場合を示す図である。ここで、横軸は時間を表し、縦軸は電流（Ａ）または電圧（Ｖ）を表す。
【００６１】
同図に示すように、ＬＥＤディスプレー装置の原色をＳＭＰＴＥ−Ｃの原色に生成するために、Ｔ２時間の区間の間、「ＲＥＤ  ｓｉｇｎａｌ」に混合される混合色は「ＧＲＥＥＮ  Ｌｉｇｈｔ」による「ＲＧ」である。そして、「ＲＥＤ  ｓｉｇｎａｌ」に混合される混合色「ＲＧ」の量はａ１分である。また、「ＢＬＵＥ  Ｌｉｇｈｔ」による「ＲＧ」であり、ａ２分の量が「ＲＥＤ  ｓｉｇｎａｌ」に混合されるべきである。
【００６２】
ＰＷＭ方式またはＡＭ方式によりディスプレー装置の原色に混合される混合色の量の調節はディスプレー装置の駆動方式によって異なる。
【００６３】
図６は、図３の色信号の処理方法において、色域を調整するために光源の光量を調節する方法について説明するための図である。
【００６４】
同図に示すように、ディスプレー装置の光源をスイッチング信号を利用して制御し、ディスプレー装置の原色を利用してターゲット色域の原色を生成する。
【００６５】
本発明は上述した特定の実施形態に限定されるものではない。実際、当業者であれば、上記の説明に基づき、特許請求の範囲に記載されている本発明の技術的範囲を逸脱することなく、本発明の実施形態に対し、種々の変更及び修正を施すことが可能であろう。従って、そのような変更及び修正は当然に、本発明の技術的範囲に含まれるべきである。
【図面の簡単な説明】
【００６６】
【図１】本発明の一実施形態による多数の色再現範囲を有する色再現装置の動作を概略的に説明するための図である。
【図２】本発明の一実施形態による多数の色再現範囲を有する色再現装置のブロック図である。
【図３】本発明の一実施形態による色信号の処理方法を説明するためのフローチャートである。
【図４】図３に示す色信号の処理方法において、入力色信号を再現する色域を選択する方法について説明するための図である。
【図５Ａ】図３に示す色信号の処理方法において、色域を調整する方法を説明するための図である。
【図５Ｂ】図３に示す色信号の処理方法において、色域を調整する方法を説明するための図である。
【図６】図３に示す色信号の処理方法において、色域を調整するための光源の光量を調節する方法について説明するための図である。
【符号の説明】
【００６７】
１００      選択部
２００      色座標変換部
３１０      計算部
３２０      原色決定部
４００      格納部
５００      駆動部
【図１】
2007004129.tif 000013
【図２】
2007004129.tif 000014
【図３】
2007004129.tif 000015
【図４】
2007004129.tif 000016
【図５Ａ】
2007004129.tif 000017
【図５Ｂ】
2007004129.tif 000018
【図６】
2007004129.tif 000019